(57)【要約】【課題】データ通信システムの利便性を向上させること。【解決手段】ネットワーク上の情報処理装置間でデータ通信を行うデータ通信システムであって、データ通信の対象となるデータの新規送信先を取得する新規送信先取得部と、取得された前記新規送信先を、データ通信の対象となる前記データに関連付ける新規送信先関連付け部と、データ通信の対象となる前記データを取得するデータ取得部と、取得された前記データに関連付けられている送信先を取得する送信先取得部と、取得された前記データを、取得された前記送信先に送信するデータ送信部と、を備えることを特徴とするデータ通信システム。【選択図】図４
2017059938.tif 000002
【特許請求の範囲】
【請求項１】
ネットワーク上の情報処理装置間でデータ通信を行うデータ通信システムであって、
データ通信の対象となるデータの新規送信先を取得する新規送信先取得部と、
取得された前記新規送信先を、データ通信の対象となる前記データに関連付ける新規送信先関連付け部と、
データ通信の対象となる前記データを取得するデータ取得部と、
取得された前記データに関連付けられている送信先を取得する送信先取得部と、
取得された前記データを、取得された前記送信先に送信するデータ送信部と、
を備えることを特徴とするデータ通信システム。
【請求項２】
データのバージョンを管理するバージョン管理部を備え、
前記データ取得部は、データ通信の対象となるデータとして、最新バージョンのデータを取得することを特徴とする請求項１に記載のデータ通信システム。
【請求項３】
データをそのデータが属するカテゴリ毎に管理するカテゴリ管理部と、
データ通信の対象となるデータが属するカテゴリを識別するカテゴリ識別情報を取得するカテゴリ識別情報取得部と、
を備え、
前記データ取得部は、データ通信の対象となるデータとして、取得された前記カテゴリ識別情報により識別されるカテゴリに属するデータのうち最新バージョンのデータを取得
することを特徴とする請求項２に記載のデータ通信システム。
【請求項４】
前記新規送信先関連付け部は、取得された前記新規送信先を、取得された前記カテゴリ識別情報により識別されるカテゴリに関連付け、
前記送信先取得部は、取得された前記カテゴリ識別情報により識別されるカテゴリに関連付けられている送信先を取得し、
前記データ送信部は、取得された前記データを、取得された前記送信先に送信することを特徴とする請求項３に記載のデータ通信システム。
【請求項５】
前記データ取得部は、データ通信の対象となるデータとして、所定のデータに基づいて画像が形成された原稿が読み取られることで生成された読取画像データを取得し、
前記送信先取得部は、前記所定のデータに関連付けられている送信先を取得し、
前記データ送信部は、取得された前記読取画像データを、取得された前記送信先に送信することを特徴とする請求項１乃至３いずれか１項に記載のデータ通信システム。
【請求項６】
前記データ取得部は、データ通信の対象となるデータとしてデータファイルを取得し、
前記送信先取得部は、取得された前記データファイルに関連付けられている送信先を取得し、
前記データ送信部は、取得された前記データファイルを、取得された前記送信先に送信することを特徴とする請求項１乃至５いずれか１項に記載のデータ通信システム。
【請求項７】
前記新規送信先関連付け部は、過去に送信されたデータにそのときの送信先を関連付けることを特徴とする請求項１乃至６いずれか１項に記載のデータ通信システム。
【請求項８】
前記新規送信先関連付け部は、過去に送信されたデータが属するカテゴリにそのときの送信先を関連付けることを特徴とする請求項４に記載のデータ通信システム。
【請求項９】
ネットワーク上の情報処理装置間でデータ通信を行うデータ通信システムの制御プログラムであって、
データ通信の対象となるデータの新規送信先を取得するステップと、
取得された前記新規送信先を、データ通信の対象となる前記データに関連付けるステップと、
データ通信の対象となる前記データを取得するステップと、
取得された前記データに関連付けられている送信先を取得するステップと、
取得された前記データを、取得された前記送信先に送信するステップと、
を情報処理装置に実行させることを特徴とするデータ通信システムの制御プログラム。
【請求項１０】
ネットワーク上の情報処理装置間でデータ通信を行うデータ通信システムの制御方法であって、
データ通信の対象となるデータの新規送信先を取得し、
取得された前記新規送信先を、データ通信の対象となる前記データに関連付け、
データ通信の対象となる前記データを取得し、
取得された前記データに関連付けられている送信先を取得し、
取得された前記データを、取得された前記送信先に送信することを特徴とするデータ通信システムの制御方法。
【発明の詳細な説明】
【技術分野】
【０００１】
本発明は、データ通信システム、データ通信システムの制御プログラム、データ通信システムの制御方法に関する。
【背景技術】
【０００２】
近年、ＰＣ（Ｐｅｒｓｏｎａｌ  Ｃｏｍｐｕｔｅｒ）により作成された文書データや、スキャナで原稿を読み取った画像データなどの各種データのデータ通信を、ネットワーク上の情報処理装置間で行うデータ通信システムが知られている（例えば、特許文献１、２を参照）。
【発明の概要】
【発明が解決しようとする課題】
【０００３】
ところが、従来のデータ通信システムにおいては、データ通信方法とデータ通信先とをその都度ユーザ自らが入力する必要があるため、利便性が悪いといった問題がある。
【０００４】
本発明は、このような課題を解決するためになされたものであり、データ通信システムの利便性を向上させることを目的とする。
【課題を解決するための手段】
【０００５】
上記課題を解決するために、本発明の一態様は、ネットワーク上の端末装置間でデータ通信を行うデータ通信システムであって、データ通信の対象となるデータの新規送信先を取得する新規送信先取得部と、取得された前記新規送信先を、データ通信の対象となる前記データに関連付ける新規送信先関連付け部と、データ通信の対象となる前記データを取得するデータ取得部と、取得された前記データに関連付けられている送信先を取得する送信先取得部と、取得された前記データを、取得された前記送信先に送信するデータ送信部と、を備えることを特徴とするデータ通信システム。
【発明の効果】
【０００６】
本発明によれば、データ通信システムの利便性を向上させることができる。
【図面の簡単な説明】
【０００７】
【図１】本発明の実施形態に係るデータ通信システムの運用形態を示す図である。
【図２】本発明の実施形態に係るＭＦＰのハードウェア構成を模式的に示すブロック図である。
【図３】本発明の実施形態に係るＭＦＰの機能構成を模式的に示すブロック図である。
【図４】本発明の実施形態に係るシステム管理サーバの機能構成を模式的に示すブロック図である。
【図５】本発明の実施形態に係るカテゴリ管理部が管理するカテゴリ一覧の一例を示す図である。
【図６】本発明の実施形態に係るバージョン管理部が管理するバージョン一覧の一例を示す図である。
【図７】本発明の実施形態に係る送信先管理部が管理する送信先一覧の一例を示す図である。
【図８】本発明の実施形態に係るクライアント端末の機能構成を模式的に示すブロック図である。
【図９】本発明の実施形態に係るシステム管理サーバにファイルを登録する際の処理を説明するためのシーケンス図である。
【図１０】本発明の実施形態に係るクライアント端末が表示するファイル選択画面の一例を示す図である。
【図１１】本発明の実施形態に係るクライアント端末が表示するカテゴリ一覧画面の一例を示す図である。
【図１２】本発明の実施形態に係るバージョン管理部が管理するバージョン一覧の一例を示す図である。
【図１３】本発明の実施形態に係るシステム管理サーバにファイルを登録する際の処理を説明するためのシーケンス図である。
【図１４】本発明の実施形態に係るカテゴリ管理部が管理するカテゴリ一覧の一例を示す図である。
【図１５】本発明の実施形態に係るバージョン管理部が管理するバージョン一覧の一例を示す図である。
【図１６】本発明の実施形態に係るＭＦＰにファイルの印刷を実行させる際の処理を説明するためのシーケンス図である。
【図１７】本発明の実施形態に係るＭＦＰが表示するカテゴリ一覧画面の一例を示す図である。
【図１８】本発明の実施形態に係るＭＦＰによる印刷物の一例を示す図である。
【図１９】本発明の実施形態に係るＭＦＰに原稿の読取画像を送信させる際の処理を説明するためのシーケンス図である。
【図２０】本発明の実施形態に係るＭＦＰが表示する送信先指定方法選択画面の一例を示す図である。
【図２１】本発明の実施形態に係るＭＦＰが表示する送信先一覧画面の一例を示す図である。
【図２２】本発明の実施形態に係るＭＦＰに原稿の読取画像を送信させる際の処理を説明するためのシーケンス図である。
【図２３】本発明の実施形態に係るＭＦＰが表示する送信先入力画面の一例を示す図である。
【図２４】本発明の実施形態に係るシステム管理サーバが管理する送信先一覧の一例を示す図である。
【図２５】本発明の実施形態に係るＭＦＰにファイルを送信させる際の処理を説明するためのシーケンス図である。
【図２６】本発明の実施形態に係るＭＦＰが表示するカテゴリ一覧画面の一例を示す図である。
【図２７】本発明の実施形態に係るＭＦＰに原稿の読取画像を送信させる際の処理を説明するためのシーケンス図である。
【発明を実施するための形態】
【０００８】
以下、図面を参照して、本発明の実施形態を詳細に説明する。本実施形態においては、ＰＣ（Ｐｅｒｓｏｎａｌ  Ｃｏｍｐｕｔｅｒ）により作成された文書データや、スキャナで原稿を読み取った画像データなどの各種データのデータ通信を、ネットワーク上の情報処理装置間で行うデータ通信システムについて説明する。
【０００９】
まず、本実施形態に係るデータ通信システムの運用形態について、図１を参照して説明する。図１は、本実施形態に係るデータ通信システムの運用形態を示す図である。
【００１０】
図１に示すように、本実施形態に係るデータ通信システムは、ＭＦＰ１−１、１−２、１−３、・・・、１−ｎ（ｎ：自然数）が接続されたネットワーク４と、システム管理サーバ２が接続されたネットワーク５とクライアント端末３−１、３−２、３−３、・・・、３−ｍ（ｍ：自然数）が接続されたネットワーク６とが、インターネットや電話回線等の公衆回線７を介して接続されて構成されている。
【００１１】
以下では、ＭＦＰ１−１、１−２、１−３、・・・、１−ｎをそれぞれ区別する必要がない場合には、それらを総称してＭＦＰ１とする。また、以下では、クライアント端末３−１、３−２、３−３、・・・、３−ｍをそれぞれ区別する必要がない場合には、それらを総称してクライアント端末３とする。
【００１２】
尚、ネットワーク４、６にそれぞれ接続されているＭＦＰ１、クライアント端末３の数は一例であり、これらがもっと多く接続された大規模なシステムであっても良い。また、それぞれ異なるＭＦＰ１が接続された複数のネットワークが、公衆回線７を介してシステム管理サーバ２及びクライアント端末３と接続される構成としても良い。
【００１３】
また、それぞれ異なるクライアント端末３が接続された複数のネットワークが、公衆回線７を介してＭＦＰ１及びシステム管理サーバ２と接続される構成としても良い。また、ＭＦＰ１とシステム管理サーバ２とクライアント端末３とが同一のネットワーク上に接続されて構成されていても良い。
【００１４】
また、ネットワーク４、５、６は、例えば、オフィスＬＡＮ（Ｌｏｃａｌ  Ａｒｅａ  Ｎｅｔｗｏｒｋ）などの限定されたネットワークであり、ＭＦＰ１とシステム管理サーバ２とクライアント端末３とは、夫々のＬＡＮを介して公衆回線７に接続されるが、公衆回線７に直接接続される態様とすることも可能である。
【００１５】
また、ネットワーク４、５、６は、例えば、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースを利用したネットワークにより実現されても良い。
【００１６】
ＭＦＰ１は、プリンタ、ファクシミリ、スキャナ、複写機として利用可能な複合機である。システム管理サーバ２は、本実施形態に係るデータ通信システムを管理する。
【００１７】
クライアント端末３は、ユーザが操作する情報処理端末であり、ＰＣ（Ｐｅｒｓｏｎａｌ  Ｃｏｍｐｕｔｅｒ）等の情報処理装置によって実現される。尚、クライアント端末３は、ＰＤＡ（Ｐｅｒｓｏｎａｌ  Ｄｉｇｉｔａｌ  Ａｓｓｉｓｔａｎｔ）やスマートフォン、タブレット端末等の携帯情報端末によって実現されても良い。
【００１８】
このように構成されたデータ通信システムにおいて、ユーザは、ＭＦＰ１を直接操作し、若しくは、クライアント端末３を介してＭＦＰ１に命令を与えることでＭＦＰ１の機能を利用することができる。
【００１９】
次に、本実施形態に係るＭＦＰ１、システム管理サーバ２、クライアント端末３のハードウェア構成について、図２を参照して説明する。図２は、本実施形態に係るＭＦＰ１のハードウェア構成を模式的に示すブロック図である。尚、図２においては、ＭＦＰ１のハードウェア構成を例として示しているが、システム管理サーバ２及びクライアント端末３についても同様である。
【００２０】
図２に示すように、本実施形態に係るＭＦＰ１は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０、専用デバイス５０、操作装置６０、表示装置７０、通信Ｉ／Ｆ８０がバス９０を介して接続されて構成されている。
【００２１】
ＣＰＵ１０は演算手段であり、ＭＦＰ１全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。
【００２２】
ＨＤＤ４０は、情報の読み書きが可能な不揮発性の記憶媒体であり、画像データ等の各種データや、ＯＳ（Ｏｐｅｒａｔｉｎｇ  Ｓｙｓｔｅｍ）、各種制御プログラム、アプリケーション・プログラム等の各種プログラムを格納する。
【００２３】
専用デバイス５０は、ＭＦＰ１において専用の機能を実現するためのハードウェアである。即ち、専用デバイス５０は、プリンタ、ファクシミリ、スキャナ、複写機、綴じ処理機構において専用の機能を実現するためのハードウェアである。
【００２４】
操作装置６０は、ＭＦＰ１に情報を入力するためのユーザインタフェースであり、キーボードやマウス、入力ボタン、タッチパネルなどの入力装置によって実現される。
【００２５】
表示装置７０は、ユーザがＭＦＰ１の状態を確認するための視覚的ユーザインタフェースであり、ＬＣＤ（Ｌｉｑｕｉｄ  Ｃｒｙｓｔａｌ  Ｄｉｓｐｌａｙ）などの表示装置やＬＥＤ（Ｌｉｇｈｔ  Ｅｍｉｔｔｉｎｇ  Ｄｉｏｄｅ）などの出力装置によって実現される。尚、ステム管理サーバ２においては、操作装置６０及び表示装置７０は省略可能である。
【００２６】
通信Ｉ／Ｆ８０は、ＭＦＰ１が他の装置と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）、ＰＣＩｅ（Ｐｅｒｉｐｈｅｒａｌ  Ｃｏｍｐｏｎｅｎｔ  Ｉｎｔｅｒｃｏｎｎｅｃｔ  Ｅｘｐｒｅｓｓ）、ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）規格などのインタフェースが用いられる。
【００２７】
このようなハードウェア構成において、ＲＯＭ３０やＨＤＤ４０等の記憶媒体に格納されたプログラムがＲＡＭ２０に読み出され、ＣＰＵ１０がＲＡＭ２０にロードされたプログラムに従って演算を行うことにより、ソフトウェア制御部が構成される。
【００２８】
このようにして構成されたソフトウェア制御部と、ハードウェアとの組み合わせによって、本実施形態に係るＭＦＰ１、システム管理サーバ２、クライアント端末３の機能を実現する機能ブロックが構成される。
【００２９】
次に、本実施形態に係るＭＦＰ１の機能構成について、図３を参照して説明する。図３は、本実施形態に係るＭＦＰ１の機能構成を模式的に示すブロック図である。
【００３０】
図３に示すように、本実施形態に係るＭＦＰ１は、コントローラ１００、給紙テーブル１１０、プリントエンジン１２０、プリント用排紙トレイ１３０、ＡＤＦ（Ａｕｔｏ  Ｄｏｃｕｍｅｎｎｔ  Ｆｅｅｄｅｒ：原稿自動搬送装置）１４０、スキャナエンジン１５０、原稿用排紙トレイ１６０、ディスプレイパネル１７０、ネットワークＩ／Ｆ１８０を有する。また、コントローラ１００は、主制御部１０１、駆動制御部１０２、画像処理部１０３、操作表示制御部１０４、入出力制御部１０５を有する。
【００３１】
給紙テーブル１１０は、画像形成部であるプリントエンジン１２０に用紙を給紙する。プリントエンジン１２０は、給紙テーブル１１０から搬送されてきた用紙に対して画像形成出力を実行することにより画像を描画する画像形成部である。本実施形態に係るプリントエンジン１２０の具体的態様としては、電子写真方式若しくはインクジェット方式による画像形成機構である。このプリントエンジン１２０により画像が描画された画像形成済みの用紙は、プリント用排紙トレイ１３０に排紙される。プリントエンジン１２０は、図１に示す専用デバイス５０によって実現される。
【００３２】
ＡＤＦ１４０は、原稿トレイにセットされた原稿をスキャナエンジン１５０に自動搬送する。スキャナエンジン１５０は、光学情報を電気信号に変換する光電変換素子を含む原稿読取部であり、ＡＤＦ１４０により自動搬送されてきた原稿、若しくは、原稿台ガラスにセットされた原稿を光学的に走査して読み取って画像データを生成する原稿読取部である。スキャナエンジン１５０により読み取られた原稿は、原稿用排紙トレイ１６０に排紙される。ＡＤＦ１４０及びスキャナエンジン１５０は、図１に示す専用デバイス５０によって実現される。
【００３３】
ディスプレイパネル１７０は、ＭＦＰ１の状態を視覚的に表示する出力インタフェースであると共に、タッチパネルとしてユーザがＭＦＰ１を直接操作し若しくはＭＦＰ１に対して情報を入力する際の入力インタフェースでもある。即ち、ディスプレイパネル１７０は、ユーザによる操作を受けるための画像を表示する機能を含む。ディスプレイパネル１７０は、図２に示す操作装置６０及び表示装置７０によって実現される。
【００３４】
ネットワークＩ／Ｆ１８０は、ＭＦＰ１がネットワークを介してシステム管理サーバ２やクライアント端末３等の他の装置と通信するためのインタフェースであり、Ｅｔｈｅｒｎｅｔ（登録商標）やＵＳＢ（Ｕｎｉｖｅｒｓａｌ  Ｓｅｒｉａｌ  Ｂｕｓ）インタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。ネットワークＩ／Ｆ１８０は、図２に示す通信Ｉ／Ｆ８０によって実現される。
【００３５】
コントローラ１００は、ソフトウェアとハードウェアとの組み合わせによって構成される。即ち、コントローラ１００は、ＣＰＵ１０がＲＯＭ３０やＨＤＤ４０等の記憶媒体に格納されたプログラムをＲＡＭ２０にロードし、そのプログラムに従って演算を行うことにより構成されるソフトウェア制御部と集積回路等のハードウェアとによって構成される。
【００３６】
主制御部１０１は、コントローラ１００に含まれる各部を制御する役割を担い、コントローラ１００の各部に命令を与える。また、主制御部１０１は、入出力制御部１０５を制御し、ネットワークＩ／Ｆ１８０を介して他の装置にアクセスする。
【００３７】
駆動制御部１０２は、給紙テーブル１１０、プリントエンジン１２０、プリント用排紙トレイ１３０、ＡＤＦ１４０、スキャナエンジン１５０、原稿用排紙トレイ１６０などの駆動部を制御し若しくは駆動させる。
【００３８】
画像処理部１０３は、主制御部１０１の制御に従い、ＰＤＬ（Ｐａｇｅ  Ｄｅｓｃｒｉｐｔｉｏｎ  Ｌａｎｇｕａｇｅ）により記述された画像情報、例えば、入力された印刷ジョブに含まれる文書データ若しくは画像データに基づいて描画情報を出力情報として生成する。この描画情報とは、ＣＭＹＫ（Ｃｙａｎ  Ｍａｇｅｎｔａ  Ｙｅｌｌｏｗ  Ｂｌａｃｋ）のビットマップデータ等の情報であり、画像形成部であるプリントエンジン１２０が画像形成動作において形成すべき画像を描画するための情報である。
【００３９】
また、画像処理部１０３は、スキャナエンジン１５０から入力される撮像データを処理し、画像データを生成する。この画像データとは、スキャナ動作の結果物としてＭＦＰ１に格納され若しくはネットワークＩ／Ｆ１８０を介して他の機器に送信される情報である。尚、本実施形態に係るＭＦＰ１は、画像情報の代わりに描画情報が直接入力され、直接入力された描画情報に基づいて画像形成出力を実行することも可能である。
【００４０】
操作表示制御部１０４は、ディスプレイパネル１７０に画面表示を行い若しくはディスプレイパネル１７０を介して入力された情報や信号、命令を主制御部１０１に入力する。そして、主制御部１０１は、操作表示制御部１０４から入力された情報や信号、命令に従ってコントローラ１００の各部に命令を与える。
【００４１】
入出力制御部１０５は、ネットワークＩ／Ｆ１８０を介して入力される情報や信号、命令を主制御部１０１に入力する。そして、主制御部１０１は、入出力制御部１０５から入力された情報や信号、命令に従ってコントローラ１００の各部に命令を与える。
【００４２】
次に、本実施形態に係るシステム管理サーバ２の機能構成について、図４を参照して説明する。図４は、本実施形態に係るシステム管理サーバ２の機能構成を模式的に示すブロック図である。
【００４３】
図４に示すように、本実施形態に係るシステム管理サーバ２は、コントローラ２００、ネットワークＩ／Ｆ２１０を有する。また、コントローラ２００は、主制御部２０１、カテゴリ管理部２０２、ＱＲコード（登録商標）生成部２０３、バージョン管理部２０４、入出力制御部２０５、送信先管理部２０６、ファイル記憶部２０７、カテゴリＩＤ付与部２０８、ＱＲコード（登録商標）解析部２０９を有する。
【００４４】
ネットワークＩ／Ｆ２１０は、システム管理サーバ２がネットワークを介してＭＦＰ１やクライアント端末３等の他の装置と通信するためのインタフェースであり、Ｅｔｈｅｒｎｅｔ（登録商標）やＵＳＢインタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。ネットワークＩ／Ｆ２１０は、図２に示す通信Ｉ／Ｆ８０によって実現される。
【００４５】
コントローラ２００は、ソフトウェアとハードウェアとの組み合わせによって構成される。即ち、コントローラ２００は、ＣＰＵ１０がＲＯＭ３０やＨＤＤ４０等の記憶媒体に格納されたプログラムをＲＡＭ２０にロードし、そのプログラムに従って演算を行うことにより構成されるソフトウェア制御部と集積回路等のハードウェアとによって構成される。
【００４６】
主制御部２０１は、コントローラ２００に含まれる各部を制御する役割を担い、コントローラ２００の各部に命令を与える。また、主制御部２０１は、入出力制御部２０５を制御し、ネットワークＩ／Ｆ２１０を介して他の装置にアクセスする。
【００４７】
カテゴリ管理部２０２は、システム管理サーバ２に登録されているカテゴリのカテゴリ名とそのカテゴリＩＤとを関連付けて一覧（以下、「カテゴリ一覧」とする）として管理する。ここで、カテゴリについて説明する。本実施形態に係るシステム管理サーバ２は、データファイル（以下、単に「ファイル」とする）をファイル記憶部２０７に記憶しているが、そのファイルを各カテゴリに分類して管理しており、その際の分類がカテゴリである。
【００４８】
ここで、本実施形態に係るカテゴリ管理部２０２が管理するカテゴリ一覧の一例を図５に示す。図５は、本実施形態に係るカテゴリ管理部２０２が管理するカテゴリ一覧の一例を示す図である。
【００４９】
ＱＲコード（登録商標）生成部２０３は、カテゴリＩＤ、カテゴリ名の少なくともいずれかを情報として含むＱＲコード（登録商標）の画像データを生成する。この画像データには、そのＱＲコード（登録商標）を印刷するべき位置に関する情報も含まれる。
【００５０】
バージョン管理部２０４、各カテゴリに属するファイルのバージョンとその記憶先とを関連付けて一覧（以下、「バージョン一覧」とする）として管理する。ここで、本実施形態に係るバージョン管理部２０４が管理するバージョン一覧の一例を図６に示す。図６は、本実施形態に係るバージョン管理部２０４が管理するバージョン一覧の一例を示す図である。
【００５１】
入出力制御部２０５は、ネットワークＩ／Ｆ２１０を介して入力される情報や信号、命令を主制御部２０１に入力する。そして、主制御部２０１は、入出力制御部２０５から入力された情報や信号、命令に従ってコントローラ２００の各部に命令を与える。
【００５２】
送信先管理部２０６は、各カテゴリに属するファイルの送信先と送信方法とを関連付けて一覧（以下、「送信先一覧」とする）として管理する。ここで、本実施形態に係る送信先管理部２０６が管理する送信先一覧の一例を図７に示す。図７は、本実施形態に係る送信先管理部２０６が管理する送信先一覧の一例を示す図である。
【００５３】
ファイル記憶部２０７は、文書ファイルや画像ファイルなどのファイルを記憶する。カテゴリＩＤ付与部２０８は、システム管理サーバ２に新たに登録されるカテゴリに、各カテゴリを一意に識別するためのカテゴリＩＤを付与する。
【００５４】
ＱＲコード（登録商標）解析部２０９は、原稿に印刷されたＱＲコード（登録商標）の読取画像に基づき、そのＱＲコード（登録商標）に情報として含まれるカテゴリ名及びカテゴリＩＤを解析する。
【００５５】
次に、本実施形態に係るクライアント端末３の機能構成について、図８を参照して説明する。図８は、本実施形態に係るクライアント端末３の機能構成を模式的に示すブロック図である。
【００５６】
図８に示すように、本実施形態に係るクライアント端末３は、コントローラ３００、ディスプレイパネル３１０、ネットワークＩ／Ｆ３２０を有する。また、コントローラ３００は、主制御部３０１、操作表示制御部３０２、入出力制御部３０３、ファイル記憶部３０４を有する。
【００５７】
ディスプレイパネル３１０は、クライアント端末３の状態を視覚的に表示する出力インタフェースであると共に、タッチパネルとしてユーザがクライアント端末３を直接操作し若しくはクライアント端末３に対して情報を入力する際の入力インタフェースでもある。即ち、ディスプレイパネル３１０は、ユーザによる操作を受けるための画像を表示する機能を含む。ディスプレイパネル３１０は、図２に示す操作装置６０及び表示装置７０によって実現される。
【００５８】
ネットワークＩ／Ｆ３２０は、クライアント端末３がネットワークを介してＭＦＰ１やシステム管理サーバ２等の他の装置と通信するためのインタフェースであり、Ｅｔｈｅｒｎｅｔ（登録商標）やＵＳＢインタフェース、Ｂｌｕｅｔｏｏｔｈ（登録商標）、Ｗｉ−Ｆｉ（Ｗｉｒｅｌｅｓｓ  Ｆｉｄｅｌｉｔｙ）（登録商標）、ＦｅｌｉＣａ（登録商標）等のインタフェースが用いられる。ネットワークＩ／Ｆ３２０は、図２に示す通信Ｉ／Ｆ８０によって実現される。
【００５９】
コントローラ３００は、ソフトウェアとハードウェアとの組み合わせによって構成される。即ち、コントローラ３００は、ＣＰＵ１０がＲＯＭ３０やＨＤＤ４０等の記憶媒体に格納されたプログラムをＲＡＭ２０にロードし、そのプログラムに従って演算を行うことにより構成されるソフトウェア制御部と集積回路等のハードウェアとによって構成される。
【００６０】
主制御部３０１は、コントローラ３００に含まれる各部を制御する役割を担い、コントローラ３００の各部に命令を与える。また、主制御部３０１は、入出力制御部３０３を制御し、ネットワークＩ／Ｆ３２０を介して他の装置にアクセスする。
【００６１】
操作表示制御部３０２は、ディスプレイパネル３１０に画面表示を行い若しくはディスプレイパネル３１０を介して入力された情報や信号、命令を主制御部３０１に入力する。そして、主制御部３０１は、操作表示制御部３０２から入力された情報や信号、命令に従ってコントローラ３００の各部に命令を与える。
【００６２】
入出力制御部３０３は、ネットワークＩ／Ｆ３２０を介して入力される情報や信号、命令を主制御部３０１に入力する。そして、主制御部３０１は、入出力制御部３０３から入力された情報や信号、命令に従ってコントローラ３００の各部に命令を与える。ファイル記憶部３０４は、文書ファイルや画像ファイルなどのファイルを記憶する。
【００６３】
次に、本実施形態に係るシステム管理サーバ２にファイルを登録する際の処理について、図９を参照して説明する。図９は、本実施形態に係るシステム管理サーバ２にファイルを登録する際の処理を説明するためのシーケンス図である。
【００６４】
図９に示すように、本実施形態に係るシステム管理サーバ２にファイルを登録する際にはまず、クライアント端末３は、ユーザによるファイル登録操作が開始されると（Ｓ９０１）、ディスプレイパネル３１０にファイル選択画面を表示する（Ｓ９０２）。ここで、本実施形態に係るクライアント端末３が表示するファイル選択画面の一例を図１０に示す。図１０は、本実施形態に係るクライアント端末３が表示するファイル選択画面の一例を示す図である。
【００６５】
そして、クライアント端末３は、ファイル選択画面においてユーザによるファイル選択操作が行われると（Ｓ９０３）、システム管理サーバ２に対して、既に登録されているカテゴリ（以下、「既存カテゴリ」とする）の一覧（以下、「既存カテゴリ一覧」とする）を取得するための要求（以下、「既存カテゴリ一覧取得要求」とする）を行う（Ｓ９０４）。
【００６６】
そして、システム管理サーバ２は、クライアント端末３から既存カテゴリ一覧取得要求を受けると、カテゴリ管理部２０２において管理しているカテゴリ一覧を読み出し、そのカテゴリ一覧を、既存カテゴリ一覧取得要求元のクライアント端末３に送信する（Ｓ９０５）。
【００６７】
そして、クライアント端末３は、システム管理サーバ２から送信されてきたカテゴリ一覧に基づき、ディスプレイパネル３１０にカテゴリ一覧画面を表示する（Ｓ９０６）。
【００６８】
ここで、本実施形態に係るクライアント端末３が表示するカテゴリ一覧画面の一例を図１１に示す。図１１は、本実施形態に係るクライアント端末３が表示するカテゴリ一覧画面の一例を示す図である。図１１に示すように、本実施形態に係るクライアント端末３が表示するカテゴリ一覧画面には、既存カテゴリが選択可能なように表示されると共に、新規のカテゴリが入力可能なように表示される。そして、ユーザは、このカテゴリ一覧画面において、今回登録するファイルが属するカテゴリを選択し、若しくは、新規に入力するようになっている。
【００６９】
そして、クライアント端末３は、カテゴリ一覧画面においてユーザによる既存カテゴリの選択操作が行われると（Ｓ９０７）、Ｓ９０３において選択されたファイル及びファイル名と共に、Ｓ９０７において選択されたカテゴリ名及びカテゴリＩＤをシステム管理サーバ２に送信する（Ｓ９０８）。
【００７０】
そして、システム管理サーバ２は、Ｓ９０８においてクライアント端末３から送信されてきたファイル名、カテゴリ名、カテゴリＩＤに基づき、Ｓ９０８において共に送信されてきたファイルをそのカテゴリにおける最新バージョンのファイルとしてファイル記憶部２０７に記憶させると共に（Ｓ９０９）、バージョン管理部２０４において管理しているバージョン一覧を更新する（Ｓ９１０）。
【００７１】
ここで、更新後のバージョン一覧を図１２に示す。図１２は、本実施形態に係るバージョン管理部２０４が管理するバージョン一覧の一例を示す図である。図１２に示すように、更新後のバージョン一覧は、図６に示した更新前のバージョン一覧と比べて、カテゴリＣにおける最新バージョンである「Ｖｅｒ．５」のファイルとして、「Ｄ：￥Ｆｉｌｅ￥ｃａｔｅ_Ｃ￥Ｖｅｒ．５」に記憶された「カテゴリＣ_５．ｐｄｆ」が追加されている。
【００７２】
尚、図９においては、カテゴリ一覧画面においてユーザによる既存カテゴリの選択操作が行われた場合について説明した（Ｓ９０７）。そこで、次に、カテゴリ一覧画面においてユーザによる新規カテゴリの選択操作が行われた場合について、図１３を参照して説明する。図１３は、本実施形態に係るシステム管理サーバ２にファイルを登録する際の処理を説明するためのシーケンス図である。
【００７３】
図１３に示すように、クライアント端末３は、カテゴリ一覧画面においてユーザによる既存カテゴリの選択操作が行われ、新規のカテゴリ名の入力操作が行われると（Ｓ１３０１）、Ｓ９０３において選択されたファイル及びファイル名と共に、Ｓ１３０１において選択されたカテゴリ名をシステム管理サーバ２に送信する（Ｓ１３０２）。
【００７４】
そして、システム管理サーバ２は、クライアント端末３から送信されてきたカテゴリ名に対してカテゴリＩＤを付与し（Ｓ１３０３）、そのカテゴリ名及びカテゴリＩＤに基づき、カテゴリ管理部２０２において管理しているカテゴリ一覧を更新する（Ｓ１３０４）。
【００７５】
ここで、更新後のカテゴリ一覧を図１４に示す。図１４は、本実施形態に係るカテゴリ管理部２０２が管理するカテゴリ一覧の一例を示す図である。図１４に示すように、更新後のカテゴリ一覧は、図５に示した更新前のバージョン一覧と比べて、カテゴリ名がカテゴリＤ、カテゴリＩＤがＣａｔｅ_Ｄの新規カテゴリが追加されている。
【００７６】
そして、システム管理サーバ２は、Ｓ９０８においてクライアント端末３から送信されてきたファイル名、カテゴリ名、Ｓ１３０３において付与したカテゴリＩＤに基づき、Ｓ９０８において共に送信されてきたファイルをそのカテゴリにおける最新バージョンのファイルとしてファイル記憶部２０７に記憶させると共に（Ｓ１３０５）、バージョン管理部２０４において管理しているバージョン一覧を更新する（Ｓ１３０６）。
【００７７】
ここで、更新後のバージョン一覧を図１５に示す。図１５は、本実施形態に係るバージョン管理部２０４が管理するバージョン一覧の一例を示す図である。図１５に示すように、更新後のバージョン一覧は、図６に示した更新前のバージョン一覧と比べて、新規カテゴリであるカテゴリＤにおける最新バージョンである「Ｖｅｒ．１」のファイルとして、「Ｄ：￥Ｆｉｌｅ￥ｃａｔｅ_Ｄ￥Ｖｅｒ．１」に記憶された「カテゴリＤ_１．ｐｄｆ」が追加されている。
【００７８】
次に、本実施形態に係るＭＦＰ１にファイルの印刷を実行させる際の処理について、図１６を参照して説明する。図１６は、本実施形態に係るＭＦＰ１にファイルの印刷を実行させる際の処理を説明するためのシーケンス図である。
【００７９】
図１６に示すように、本実施形態に係るＭＦＰ１にファイルの印刷を実行させる際にはまず、ＭＦＰ１は、ユーザによる印刷実行操作が開始されると（Ｓ１６０１）、システム管理サーバ２に対して既存カテゴリ一覧取得要求を行う（Ｓ１６０２）。
【００８０】
そして、システム管理サーバ２は、ＭＦＰ１から既存カテゴリ一覧取得要求を受けると、カテゴリ管理部２０２において管理しているカテゴリ一覧を読み出し、そのカテゴリ一覧を、既存カテゴリ一覧取得要求元のＭＦＰ１に送信する（Ｓ１６０３）。
【００８１】
そして、ＭＦＰ１は、システム管理サーバ２から送信されてきたカテゴリ一覧に基づき、ディスプレイパネル１７０にカテゴリ一覧画面を表示する（Ｓ１６０４）。
【００８２】
ここで、本実施形態に係るＭＦＰ１が表示するカテゴリ一覧画面の一例を図１７に示す。図１７は、本実施形態に係るＭＦＰ１が表示するカテゴリ一覧画面の一例を示す図である。図１７に示すように、本実施形態に係るＭＦＰ１が表示するカテゴリ一覧画面には、既存カテゴリが選択可能なように表示される。そして、ユーザは、このカテゴリ一覧画面において、今回印刷するファイルが属するカテゴリを選択するようになっている。
【００８３】
そして、クライアント端末３は、カテゴリ一覧画面においてユーザによるカテゴリの選択操作が行われると（Ｓ１６０５）、システム管理サーバ２に対して、Ｓ１６０５において選択されたカテゴリ名及びカテゴリＩＤを送信すると共に（Ｓ１６０６）、そのカテゴリに属する最新バージョンのファイルの取得要求と、そのカテゴリに対応するＱＲコード（登録商標）の取得要求とを行う（Ｓ１６０７、Ｓ１６０８）。
【００８４】
そして、システム管理サーバ２は、ＱＲコード（登録商標）生成部２０３において、Ｓ１６０６においてクライアント端末３から送信されてきたカテゴリ名及びカテゴリＩＤを情報として含むＱＲコード（登録商標）の画像データを生成する（Ｓ１６０９）。
【００８５】
そして、システム管理サーバ２は、Ｓ１６０９において生成したＱＲコード（登録商標）の画像データと共に、Ｓ１６０６においてクライアント端末３から送信されてきたカテゴリ名及びカテゴリＩＤに基づき、そのカテゴリに属する最新バージョンのファイルを要求元のクライアント端末３に送信する（Ｓ１６１０）。
【００８６】
そして、ＭＦＰ１は、システム管理サーバ２から送信されてきたＱＲコード（登録商標）が任意の位置に印刷されるように、共に送信されてきたファイルの印刷を実行する（Ｓ１６１１）。
【００８７】
ここで、本実施形態に係るＭＦＰ１による印刷物の一例を図１８に示す。図１８は、本実施形態に係るＭＦＰ１による印刷物の一例を示す図である。図１８に示すように、本実施形態に係るＭＦＰ１による印刷物にはそのファイルが属するカテゴリのカテゴリ名及びカテゴリＩＤを情報として含むＱＲコード（登録商標）が印刷される。
【００８８】
次に、本実施形態に係るＭＦＰ１に原稿の読取画像データ（以下、単に「読取画像」とする）を送信させる際の処理について、図１９を参照して説明する。図１９は、本実施形態に係るＭＦＰ１に原稿の読取画像を送信させる際の処理を説明するためのシーケンス図である。尚、図１９においては、図１６においてＱＲコード（登録商標）が印刷された原稿の読取画像を送信させる際の処理について説明する。
【００８９】
図１９に示すように、本実施形態に係るＭＦＰ１に原稿の読取画像を送信させる際にはまず、ＭＦＰ１は、ユーザによる原稿のスキャン操作が行われると（Ｓ１９０１）、セットされた原稿のスキャンを実行して原稿を読み取る（Ｓ１９０２）。
【００９０】
そして、ＭＦＰ１は、送信先を指定する方法をユーザに選択させる画面（以下、「送信先指定方法選択画面」とする）をディスプレイパネル１７０に表示する（Ｓ１９０３）。
【００９１】
ここで、本実施形態に係るＭＦＰ１が表示する送信先指定方法選択画面の一例を図２０に示す。図２０は、本実施形態に係るＭＦＰ１が表示する送信先指定方法選択画面の一例を示す図である。図２０に示すように、本実施形態に係るＭＦＰ１が表示する送信先指定方法選択画面には、「送信先を手動で指定する」か「送信先を自動で指定する」かが選択可能なように表示される。
【００９２】
そして、ＭＦＰ１は、この送信先指定方法選択画面において、ユーザにより「送信先を自動で指定する」の選択操作が行われると（Ｓ１９０４）、Ｓ１９０２において読み取ったＱＲコード（登録商標）の画像データをシステム管理サーバ２に送信すると共に（Ｓ１９０５）、読取原稿の送信先一覧を取得するための要求（以下、「送信先一覧取得要求」とする）を行う（Ｓ１９０６）。
【００９３】
そして、システム管理サーバ２は、ＱＲコード（登録商標）解析部２０９において、ＭＦＰ１から送信されてきたＱＲコード（登録商標）の画像データを解析して（Ｓ１９０７）、そのＱＲコード（登録商標）に情報として含まれるカテゴリ名及びカテゴリＩＤに関連付けられている送信先一覧を送信先管理部２０６から読み出して、送信先一覧取得要求元のＭＦＰ１に送信する（Ｓ１９０８）。
【００９４】
そして、ＭＦＰ１は、システム管理サーバ２から送信されてきた送信先一覧に基づき、ディスプレイパネル１７０に送信先一覧画面を表示する（Ｓ１９０９）。
【００９５】
ここで、本実施形態に係るＭＦＰ１が表示する送信先一覧画面の一例を図２１に示す。図２１は、本実施形態に係るＭＦＰ１が表示する送信先一覧画面の一例を示す図である。図２１に示すように、本実施形態に係るＭＦＰ１が表示する送信先一覧画面には、送信先が選択可能なように表示される。
【００９６】
そして、ＭＦＰ１は、この送信先一覧画面においてユーザ操作による送信先選択操作が行われると（Ｓ１９１０）、Ｓ１９０２において読み取った原稿の読取画像をＳ１９１０において選択された送信先に送信する（Ｓ１９１１）。
【００９７】
このように、本実施形態に係るデータ通信システムは、ファイルの印刷時にそのファイルが属するカテゴリのカテゴリ名及びカテゴリＩＤを情報として含むＱＲコード（登録商標）を印刷するように構成されている。そして、本実施形態に係るデータ通信システムは、原稿の読み取り時にそのＱＲコード（登録商標）を読み取って解析し、そのＱＲコード（登録商標）から識別されるカテゴリに関連付けられている送信先の一覧から送信先をユーザに選択させ、選択された送信先に原稿の読取画像を送信するように構成されている。
【００９８】
本実施形態に係るデータ通信システムは、このように構成されることで、読取画像の送信先と送信方法とをその都度ユーザ自らが入力する必要がないため、ユーザの利便性を向上させることが可能となる。
【００９９】
尚、図１９においては、送信先指定方法選択画面において、ユーザにより「送信先を自動で指定する」の選択操作が行われた場合について説明した（Ｓ１９０４）。そこで、次に、送信先指定方法選択画面において、ユーザにより「送信先を手動で指定する」の選択操作が行われた場合について、図２２を参照して説明する。図２２は、本実施形態に係るＭＦＰ１に原稿の読取画像を送信させる際の処理を説明するためのシーケンス図である。
【０１００】
図２２に示すように、ＭＦＰ１は、送信先指定方法選択画面において、ユーザにより「送信先を手動で指定する」の選択操作が行われると（Ｓ２２０１）、送信先をユーザに手動で入力させるための画面（以下、「送信先入力画面」とする）をディスプレイパネル１７０に表示する（Ｓ２２０２）。
【０１０１】
ここで、本実施形態に係るＭＦＰ１が表示する送信先入力画面の一例を図２３に示す。図２３は、本実施形態に係るＭＦＰ１が表示する送信先入力画面の一例を示す図である。図２３に示すように、本実施形態に係るＭＦＰ１が表示する送信先入力画面には、送信方法が選択可能なように表示されると共に、送信先が入力可能なように表示される。
【０１０２】
そして、ＭＦＰ１は、この送信先入力画面においてユーザにより送信方法選択操作及び送信先入力操作が行われると（Ｓ２２０３）、選択された送信方法及び入力された送信先と共に、Ｓ１９０２において読み取ったＱＲコード（登録商標）の画像データをシステム管理サーバ２に送信する（Ｓ２２０４）。
【０１０３】
そして、ＭＦＰ１は、Ｓ１９０２において読み取った原稿の読取画像をＳ２２０３において入力された送信先に送信する（Ｓ２２０５）。
【０１０４】
一方、システム管理サーバ２は、ＱＲコード（登録商標）解析部２０９において、ＭＦＰ１から送信されてきたＱＲコード（登録商標）を解析して（Ｓ２２０６）、そのＱＲコード（登録商標）に情報として含まれるカテゴリ名及びカテゴリＩＤ、そして、共に送信されてきた送信方法及び送信先に基づき、送信先管理部２０６において管理している送信先一覧を更新する（Ｓ２２０７）。
【０１０５】
このとき、主制御部２０１が新規送信先取得部として、ＭＦＰ１からシステム管理サーバ２に送信されてきた送信先を新規送信先として取得する。そして、主制御部２０１がカテゴリ識別情報取得部として、ＭＦＰ１からシステム管理サーバ２に送信されてきたＱＲコード（登録商標）をカテゴリ識別情報として取得し、主制御部２０１が新規送信先関連付け部として、そのカテゴリ識別情報により識別されるカテゴリに新規送信先を関連付ける。
【０１０６】
ここで、更新後の送信先一覧を図２４に示す。図２４は、本実施形態に係るシステム管理サーバ２が管理する送信先一覧の一例を示す図である。図２４に示すように、更新後の送信先一覧は、図７に示した更新前の送信先一覧と比べて、Ｓ２２０３において選択・入力された送信先及び送信方法が、カテゴリ名がカテゴリＣ、カテゴリＩＤがＣａｔｅ_Ｃのカテゴリに追加されている。
【０１０７】
このように、本実施形態に係るデータ通信システムは、ファイルの印刷時にそのファイルが属するカテゴリのカテゴリ名及びカテゴリＩＤを情報として含むＱＲコード（登録商標）を印刷するように構成されている。そして、本実施形態に係るデータ通信システムは、原稿の読み取り時にそのＱＲコード（登録商標）を読み取って解析し、そのＱＲコード（登録商標）から識別されるカテゴリに、ユーザにより入力された送信先と送信方法とを関連付けて管理するように構成されている。
【０１０８】
本実施形態に係るデータ通信システムは、このように構成されることで、過去に送信された送信先とその送信方法とが履歴として蓄積される。そのため、本実施形態に係るデータ通信システムは、一度、読取画像が送信されて以降は、その読取画像と同じカテゴリに属するファイルや読取画像を送信する際、その送信先と送信方法についてはその都度ユーザ自らが入力する必要がなくなる。従って、本実施形態に係るデータ通信システムは、このように構成されることで、ユーザの利便性を向上させることが可能となる。
【０１０９】
次に、本実施形態に係るＭＦＰ１にファイルを送信させる際の処理について、図２５を参照して説明する。図２５は、本実施形態に係るＭＦＰ１にファイルを送信させる際の処理を説明するためのシーケンス図である。
【０１１０】
図２５に示すように、本実施形態に係るＭＦＰ１にファイルを送信させる際にはまず、ＭＦＰ１は、ユーザによるカテゴリ一覧画面の表示操作が行われると（２５０１）、システム管理サーバ２に対して、既存カテゴリ一覧取得要求を行う（Ｓ２５０２）。
【０１１１】
そして、システム管理サーバ２は、ＭＦＰ１から既存カテゴリ一覧取得要求を受けると、カテゴリ管理部２０２において管理しているカテゴリ一覧を読み出し、そのカテゴリ一覧を、既存カテゴリ一覧取得要求元のＭＦＰ１に送信する（Ｓ２５０３）。
【０１１２】
そして、ＭＦＰ１は、システム管理サーバ２から送信されてきたカテゴリ一覧に基づき、ディスプレイパネル１７０にカテゴリ一覧画面を表示する（Ｓ２５０４）。
【０１１３】
ここで、本実施形態に係るＭＦＰ１が表示するカテゴリ一覧画面の一例を図２６に示す。図２６は、本実施形態に係るＭＦＰ１が表示するカテゴリ一覧画面の一例を示す図である。図２６に示すように、本実施形態に係るＭＦＰ１が表示するカテゴリ一覧画面には、送信するファイルが属するカテゴリが選択可能なように表示される。そして、ユーザは、このカテゴリ一覧画面において、今回送信するファイルが属するカテゴリを選択するようになっている。
【０１１４】
そして、ＭＦＰ１は、カテゴリ一覧画面においてユーザによるカテゴリの選択操作が行われると（Ｓ２５０５）、システム管理サーバ２に対して、Ｓ２５０５において選択されたカテゴリ名及びカテゴリＩＤを送信すると共に（Ｓ２５０６）、そのカテゴリに属する最新バージョンのファイルの取得要求を行う（Ｓ２５０７）。
【０１１５】
そして、システム管理サーバ２は、Ｓ２５０６においてＭＦＰ１から送信されてきたカテゴリ名及びカテゴリＩＤに基づき、そのカテゴリに属する最新バージョンのファイルを要求元のＭＦＰ１に送信する（Ｓ２５０８）。
【０１１６】
そして、ＭＦＰ１は、送信先指定方法選択画面をディスプレイパネル１７０に表示し（Ｓ２５０９）、この送信先指定方法選択画面において、ユーザにより「送信先を自動で指定する」の選択操作が行われると（Ｓ２５１０）、システム管理サーバ２に対して送信先一覧取得要求を行う（Ｓ２５１１）。
【０１１７】
そして、システム管理サーバ２は、Ｓ２５０６においてＭＦＰ１から送信されてきたカテゴリ名及びカテゴリＩＤに関連付けられている送信先一覧を送信先管理部２０６から読み出して、送信先一覧取得要求元のＭＦＰ１に送信する（Ｓ２５１２）。
【０１１８】
そして、ＭＦＰ１は、システム管理サーバ２から送信されてきた送信先一覧に基づき、ディスプレイパネル１７０に送信先一覧画面を表示する（Ｓ２５１３）。
【０１１９】
そして、ＭＦＰ１は、この送信先一覧画面においてユーザ操作による送信先選択操作が行われると（Ｓ２５１４）、Ｓ２５０８においてシステム管理サーバ２から送信されてきたファイルを、Ｓ２５１４において選択された送信先に送信する（Ｓ２５１５）。
【０１２０】
このとき、主制御部１０１がデータ取得部としてＳ２５０８においてシステム管理サーバ２から送信されてきたファイルを取得する。そして、主制御部１０１が送信先取得部として、ファイルの送信先を取得し、主制御部１０１がデータ送信部として、そのファイルをＳ２５１４において選択された送信先に送信する。
【０１２１】
このように、本実施形態に係るデータ通信システムは、ファイルの送信時、そのファイルが属するカテゴリに関連付けられている送信先の一覧から送信先をユーザに選択させ、選択された送信先に原稿の読取画像を送信するように構成されている。
【０１２２】
本実施形態に係るデータ通信システムは、このように構成されることで、ファイルの送信先と送信方法とをその都度ユーザ自らが入力する必要がないため、ユーザの利便性を向上させることが可能となる。
【０１２３】
尚、図２５においては、送信先指定方法選択画面において、ユーザにより「送信先を自動で指定する」の選択操作が行われた場合について説明した（Ｓ２５１０）。そこで、次に、送信先指定方法選択画面において、ユーザにより「送信先を手動で指定する」の選択操作が行われた場合について、図２７を参照して説明する。図２７は、本実施形態に係るＭＦＰ１に原稿の読取画像を送信させる際の処理を説明するためのシーケンス図である。
【０１２４】
図２７に示すように、ＭＦＰ１は、送信先指定方法選択画面において、ユーザにより「送信先を手動で指定する」の選択操作が行われると（Ｓ２７０１）、送信先入力画面をディスプレイパネル１７０に表示する（Ｓ２７０２）。
【０１２５】
そして、ＭＦＰ１は、この送信先入力画面においてユーザにより送信方法選択操作及び送信先入力操作が行われると（Ｓ２７０３）、選択された送信方法及び入力された送信先と共に、Ｓ２５０５において選択されたカテゴリ名及びカテゴリＩＤをシステム管理サーバ２に送信する（Ｓ２７０４）。
【０１２６】
そして、ＭＦＰ１は、Ｓ２５０８においてシステム管理サーバ２から送信されてきたファイルを、Ｓ２７０４において選択された送信先に送信する（Ｓ２７０５）。
【０１２７】
一方、システム管理サーバ２は、ＭＦＰ１から送信されてきたカテゴリ名及びカテゴリＩＤ、そして、共に送信されてきた送信方法及び送信先に基づき、送信先管理部２０６において管理している送信先一覧を更新する（Ｓ２７０６）。
【０１２８】
このように、本実施形態に係るデータ通信システムは、ファイルの送信時、そのファイルが属するカテゴリに、ユーザにより入力された送信先と送信方法とを関連付けて管理するように構成されている。
【０１２９】
本実施形態に係るデータ通信システムは、このように構成されることで、過去に送信された送信先とその送信方法とが履歴として蓄積される。そのため、本実施形態に係るデータ通信システムは、このように構成されることで、一度ファイルが送信されて以降は、そのファイルと同じカテゴリに属するファイルや読取画像を送信する際、その送信先と送信方法についてはその都度ユーザ自らが入力する必要がなくなる。従って、本実施形態に係るデータ通信システムは、このように構成されることで、ユーザの利便性を向上させることが可能となる。
【０１３０】
尚、本実施形態に係るデータ通信システムは、ＭＦＰ１とシステム管理サーバ２とがネットワークを介して接続されて構成されているが、ＭＦＰ１の少なくともいずれかがシステム管理サーバ２の機能を備えるように構成されていても良い。本実施形態に係るサービス提供システムは、このように構成されることにより、システム管理サーバ２を必要としないため、イニシャルコスト及びランニングコストを低減させることが可能となる。
【符号の説明】
【０１３１】
１  ＭＦＰ
２  システム管理サーバ
３  クライアント端末
４  ネットワーク
５  ネットワーク
６  ネットワーク
７  公衆回線
１０  ＣＰＵ
２０  ＲＡＭ
３０  ＲＯＭ
４０  ＨＤＤ
５０  専用デバイス
６０  操作装置
７０  表示装置
８０  通信Ｉ／Ｆ
９０  バス
１００  コントローラ
１０１  主制御部
１０２  駆動制御部
１０３  画像処理部
１０４  操作表示制御部
１０５  入出力制御部
１１０  給紙テーブル
１２０  プリントエンジン
１３０  プリント用排紙トレイ
１４０  ＡＤＦ
１５０  スキャナエンジン
１６０  原稿用排紙トレイ
１７０  ディスプレイパネル
１８０  ネットワークＩ／Ｆ
２００  コントローラ
２０１  主制御部
２０２  カテゴリ管理部
２０３  ＱＲコード（登録商標）生成部
２０４  バージョン管理部
２０５  入出力制御部
２０６  送信先管理部
２０７  ファイル記憶部
２０８  カテゴリ付与部
２０９  ＱＲコード（登録商標）解析部
２１０  ネットワークＩ／Ｆ
３００  コントローラ
３０１  主制御部
３０２  操作表示制御部
３０３  入出力制御部
３０４  ファイル記憶部
【先行技術文献】
【特許文献】
【０１３２】
【特許文献１】特開２００６−０６０４０１号公報
【特許文献２】特開２００５−２４４４１１号公報
【図１】
2017059938.tif 000003
【図２】
2017059938.tif 000004
【図３】
2017059938.tif 000005
【図４】
2017059938.tif 000006
【図５】
2017059938.tif 000007
【図６】
2017059938.tif 000008
【図７】
2017059938.tif 000009
【図８】
2017059938.tif 000010
【図９】
2017059938.tif 000011
【図１０】
2017059938.tif 000012
【図１１】
2017059938.tif 000013
【図１２】
2017059938.tif 000014
【図１３】
2017059938.tif 000015
【図１４】
2017059938.tif 000016
【図１５】
2017059938.tif 000017
【図１６】
2017059938.tif 000018
【図１７】
2017059938.tif 000019
【図１８】
2017059938.tif 000020
【図１９】
2017059938.tif 000021
【図２０】
2017059938.tif 000022
【図２１】
2017059938.tif 000023
【図２２】
2017059938.tif 000024
【図２３】
2017059938.tif 000025
【図２４】
2017059938.tif 000026
【図２５】
2017059938.tif 000027
【図２６】
2017059938.tif 000028
【図２７】
2017059938.tif 000029